【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
距離ｄ１に沿って直線的に並べられ、その長さに沿ってインダクタンスと抵抗を示すインダクション・コイルのＮ個の区分と、
ｄ１よりも短い長さｄ２の永久磁石アセンブリ（ＰＭＡ）を直線的に並べられたインダクション・コイルに沿ってかつその上を通過させる一方で前記磁石と前記コイルとの間に小さい隙間を維持するための手段であって、特定のコイル区分上での前記ＰＭＡの通過がその特定のコイル区分を励起させ、前記ＰＭＡの通過がその特定の区分内の前記コイルの両端に電圧を作り出すような手段と、
前記コイルに接続され、前記通過するＰＭＡに近接した前記励起されたコイル内に作り出された前記電圧を第１および第２の電力出力端子の間に比較的低インピーダンスの経路を介して自動的に結合させ、励起されないコイルが負荷となることを防止するときに、前記第１と第２の電力出力端子で作り出される電圧を浪費することを妨げる一方向導通手段とを有するリニア発電機（ＬＥＧ）。
【請求項２】
インダクション・コイルの前記Ｎ個の区分の各々が第１と第２の端子を有するインダクション・コイルを有し、前記コイルに連結された前記一方向導通手段が、各々のコイルに関して各々のコイルの前記第１の端子と第１のコイル出力点との間に第１のダイオードを、各々のコイルの前記第１の端子と第２のコイル出力点との間に第２のダイオードを、各々のコイルの前記第２の端子と前記第１のコイル出力点との間に接続される第３のダイオードを、および各々のコイルの前記第２の端子と前記第２のコイル出力点との間に接続される第４のダイオードを接続するための手段を含む、請求項１に記載のＬＥＧ。
【請求項３】
各々のコイルの前記第２の端子が次に隣接するコイルの前記第１の端子へと接続され、隣り合うコイルがダイオードを共有し、各々のコイルの前記第１の出力部が前記第１の電力出力端子へと接続され、各々のコイルの前記第２の出力部が前記第２の電力出力端子へと接続される、請求項２に記載のＬＥＧ。
【請求項４】
コイルの前記Ｎ個の区分の各々が、４個のダイオードを介して第１と第２の出力点の間に連結された第１と第２の端子を有するインダクション・コイルを有し、前記コイルに相対した前記ＰＭＡの移動に応答して前記インダクション・コイルの両端に作り出される前記電圧を貯蔵するために貯蔵素子が前記第１と第２の出力点の間に接続される、請求項１に記載のＬＥＧ。
【請求項５】
各々のコイル区分の前記貯蔵素子を選択的に中枢の貯蔵素子へと結合させるための手段を有する、請求項４に記載のＬＥＧ。
【請求項６】
各々のコイル区分の前記貯蔵素子を選択的に中枢の貯蔵素子へと結合させるための前記手段が各々のコイルから前記中枢の貯蔵素子へと電荷を移送するためのスイッチ手段を有する、請求項５に記載のＬＥＧ。
【請求項７】
前記ＰＭＡを前記コイルに沿ってかつその上を通過させるための前記手段が、インダクション・コイルの前記Ｎ個の区分をフロートと支柱のうちの一方に沿って取り付けて並べる工程、および前記ＰＭＡを前記フロートと支柱のうちの他方に取り付ける工程を含み、前記フロートと支柱が互いに相対して移動することが可能であり、それにより、前記ＰＭＡが前記コイルの上でかつそれに沿って移動する、請求項１に記載のＬＥＧ。
【請求項８】
互いに相対して移動することが可能なシャフトとフロートを有する波力エネルギー変換器（ＷＥＣ）内部であって、電力を発生させるための手段が、
前記シャフトとフロートのうちの一方に装着され、直線的にｄ１の距離を延び、その長さに沿ってインダクタンスと抵抗を示すインダクション・コイルのＮ個の区分と、
前記シャフトとフロートのうちの他方に装着され、ｄ１よりも短い長さｄ２である永久磁石アセンブリ（ＰＭＡ）であって、前記磁石と前記コイルとの間に狭い間隙を維持しつつ、前記直線的に並べられたインダクション・コイルに沿ってかつその上を通過することが可能となるように装着され、特定のコイル区分上での前記ＰＭＡの通過がその特定のコイル区分を励起させ、前記ＰＭＡの通過がその特定の区分内の前記コイルの両端に電圧を作り出すようなＰＭＡと、
前記コイルに接続され、前記通過するＰＭＡに近接した前記励起されたコイル内に作り出された前記電圧を第１および第２の電力出力端子の間に比較的低インピーダンスの経路を介して自動的に結合させ、励起されないコイルが負荷となることを防止すると共に、前記第１と第２の電力出力端子で作り出される電圧を浪費することを妨げる一方向導通手段とを有するＷＥＣ内部。
【請求項９】
インダクション・コイルの前記Ｎ個の区分の各々が第１と第２の端子を有するインダクション・コイルを有し、前記コイルに連結された前記一方向導通手段が、各々のコイルの前記第１の端子と第１の出力点との間に第１のダイオードを、各々のコイルの前記第１の端子と第２の出力点との間に第２のダイオードを、各々のコイルの前記第２の端子と前記第１の出力点との間に接続される第３のダイオードを、および各々のコイルの前記第２の端子と前記第２の出力点との間に接続される第４のダイオードを接続するための手段を含む、請求項８に記載のＷＥＣ内部。
【請求項１０】
各々のコイルが第１の出力点と第２の出力点を有し、各々のコイルの前記第１と第２の出力点の間に別々の負荷が接続される、請求項９に記載のＷＥＣ内部。
【請求項１１】
各々のコイルに付随する前記第１と第２の出力点のうちの一方が選択的に有効化されるスイッチ手段を介して前記第１の電力出力端子へと結合され、各々のコイルに付随する前記第１と第２の出力点のうちの他方が前記第２の電力出力端子へと結合される、請求項１０に記載のＷＥＣ内部。
【請求項１２】
前記コイルが分節化されたコイルである、請求項８に記載のＷＥＣ内部。
【請求項１３】
前記コイルがタップ引き出し型のコイルである、請求項８に記載のＷＥＣ内部。
【請求項１４】
コイルの各々の区分が第１と第２の端子を有し、かつ２つの端子間でインダクタンスと抵抗を示し、支持用部材に沿って距離ｄ１を延びるコイルのＮ個の区分と、
長さｄ２を有する永久磁石アセンブリ（ＰＭＡ）と、
前記ＰＭＡが前記コイルの傍を移動するときに電圧を前記ＰＭＡに近接したコイルの前記区分の両端で生じさせるために前記ＰＭＡとコイルの前記Ｎ個の区分を互いに近接させ、かつ互いに相対して移動するように装着するための手段と、
前記コイルから得られる電圧を自体に結合させるための第１と第２の電力出力端子と、
前記コイルの両端に生じる電圧を前記第１と第２の電力出力端子へと移送するために前記コイルと前記第１および第２の電力端子との間に連結された一方向導通手段とを有する装置。
【請求項１５】
電力変換器を含む負荷が前記第１と第２の電力端子の間に接続され、ｄ２がｄ１よりも小さい、請求項１４に記載の装置。
【請求項１６】
ｄ２がｄ１よりも小さく、前記一方向導通手段がダイオードを含む、請求項１４に記載の装置。
【請求項１７】
各々のコイルが少なくとも１つのダイオードを介して前記第１と第２の電力端子の間に接続される、請求項１６に記載の装置。
【請求項１８】
励起されたコイルが、同じ方向の従来の電流を導通させる２つのダイオードを介して第１と第２の出力点の間に直列に接続される、請求項１６に記載の装置。
【請求項１９】
コイルの前記Ｎ個の区分がシャフトと外郭構造のうちの一方に装着され、前記永久磁石が前記シャフトと外郭構造のうちの他方に装着され、前記シャフトと外郭構造が、水域に置かれることおよび前記水域にある波に晒され、それにより、前記波に応じて前記外郭構造とシャフトを互いに相対して移動させることを目的とされたブイの一部であり、ｄ２がｄ１よりも小さい、請求項１４に記載の装置。
【請求項２０】
コイルの前記Ｎ個の区分の前記第１の端子が共通して第１の電力端子へと接続され、コイルの前記Ｎ個の区分の各々のそれの前記第２の端子が（ａ）１つの方向で電流を導通させるように極性化された一方向導通素子を介して第１のノードへと連結され、かつ（ｂ）前記１つの方向に対して逆方向で電流を導通させるように極性化された一方向導通素子を介して第２のノードへと連結され、
手段が前記第１と第２の電力端子の間に電力変換器を結合させる、請求項１６に記載の装置。
【請求項２１】
支持用部材に沿って距離ｄ１で直線的に並べられたインダクション・コイルのＮ個の区分を有し、長さｄ２の永久磁石アセンブリ（ＰＭＡ）を前記インダクション・コイルに沿って通過させながらその一方で前記磁石と前記インダクション・コイルとの間に小さい隙間を維持することによって前記コイルの両端に電圧が生じるシステムであって、改善点が
各々のコイル区分と第１および第２の出力ラインとの間に連結された一方向導通手段であって、前記ＰＭＡが前記コイル上を通り過ぎるときに前記コイルの中に生じる前記電圧を、比較的低インピーダンスの経路を供給し、かつ励起されないコイル区分が前記電圧の負荷となることを妨げる一方向導通手段を介して第１および第２の出力点へと結合させるための手段を含むシステム。
【請求項２２】
ｄ２がｄ１よりも小さく、前記一方向導通手段がダイオードである、請求項２１に記載のシステム。